(57)【要約】【課題】膜体に形成されるパターンを綺麗に拡散表示できる簡便で安価な光拡散式表示体を提供する。【解決手段】樹脂材やガラス材等とからなる表示板２の表面側には多数本の刻み線８がレーザ加工により刻設される。また、表示板２の刻み線８と反対面にはカッティングシートのような膜体３が貼着される。また、表示板２の膜体３と反対側には反射膜５が貼着される。光源４は表示板２の周縁の全部又は一部に配置される。光源からの照射により表示板２内に光拡散が生じ、膜体３をより明るく照明し、美感の向上が図れる。【選択図】図２
2005266024.tif 000002
【特許請求の範囲】
【請求項１】
透明又は半透明の板材であってその表面又は表裏面に多数本の刻み線を刻設してなる表示体と、該表示体の表面側に貼着される反射膜と、前記表示体の裏面側に配設される膜体と、前記表示体の周縁の一部又は周縁の全部又は前記表示体の表面側と前記反射膜との間に配置される光源とを設けることを特徴とする光拡散式表示体。
【請求項２】
前記刻み線が、水平方向に沿って刻設されることを特徴とする請求項１に記載の光拡散式表示体。
【請求項３】
前記光源が配置されていない前記表示体の側面には反射板が貼着されることを特徴とする請求項１に記載の光拡散式表示体。
【請求項４】
前記光源が前記表示体の周縁の一部に配置される場合において、前記刻み線が、前記光源から離隔するに従って深く刻設されることを特徴とする請求項１乃至３のいずれかに記載の光拡散式表示体。
【請求項５】
前記光源が前記表示体の周縁の一部に配置される場合において、前記表示体の厚みが、前記光源から離隔するに従って薄く形成されることを特徴とする請求項１乃至３のいずれかに記載の光拡散式表示体。
【請求項６】
前記表示体が、ガラス，樹脂，光拡散樹脂のいずれかからなることを特徴とする請求項１又は２に記載の光拡散式表示体。
【請求項７】
前記膜体が、塗膜，フィルム，金属，金属箔，メッキ，インキ，カッティングシートのいずれかからなることを特徴とする請求項１乃至３のいずれかに記載の光拡散式表示体。
【請求項８】
前記光源が、一般電球ＬＥＤ，冷陰電極管，ＥＦＦランプ，ブラックライト，グラデーションライトのいずれかからなることを特徴とする請求項１乃至４のいずれかに記載の光拡散式表示体。
【請求項９】
前記反射板がアルミ箔，金属箔等の薄厚の反射材からなることを特徴とする請求項３に記載の光拡散式表示体。
【請求項１０】
前記刻み線が、レーザ加工により形成されることを特徴とする請求項１乃至５のいずれかに記載の光拡散式表示体。
【発明の詳細な説明】
【技術分野】
【０００１】
本発明は、膜体に表示されている各種の文字や絵柄や映像を拡散表示する簡便構造の光拡散式表示体に関する。
【背景技術】
【０００２】
文字，絵柄，映像等のパターンを拡散表示する手段としては、例えば、カッティングシートを透明板に貼着し、このパターンを透明板に凹設し、これ等に光を当てる技術がある。また、これに近似する公知技術として「特許文献１」が挙げられる。
【特許文献１】特開２００１−１９４５３４号（図１）
【発明の開示】
【発明が解決しようとする課題】
【０００３】
前記の光拡散手段はパターンの拡散表示が可能であるが、カッティングシートのパターンを透明板に凹設する必要があり手間がかかり、やや高価のものとなる。また、公知技術の特開２００１−１９４５３４号公報の「導光板及びその製造方法」は平均位相差が２０ｎｍ以下の透明樹脂板の片面に平均位相差が２０ｎｍ以下の透明フィルムを屈折率差０．１以内の粘着層を介して接着したものであり、前記透明フィルムの表面に凹凸を形成したものである。このものは、以下に説明する本発明の表示体と類似する構成要素もあるが、全体構成においては大きく相異し、凹凸についても本発明の刻の線ではなく、任意の膜体を用いる点においても大きく相異するものである。
【０００４】
本発明は以上の事情に鑑みて発明されたものであり、光拡散これにパターンが明瞭に表示され、全体構造が簡便であり、比較的安価に実施できる光拡散式表示体を提供することを目的とする。
【課題を解決するための手段】
【０００５】
本発明は、以上の目的を達成するために、請求項１の発明は、透明又は半透明の板材であってその表面又は表裏面に多数本の刻み線を刻設してなる表示体と、該表示体の表面側に貼着される反射膜と、前記表示体の裏面側に配設される膜体と、前記表示体の周縁の一部又は周縁の全部又は前記表示体の表面側と前記反射膜との間に配置される光源とを設けることを特徴とする。
【０００６】
また、本発明の請求項２の発明は、前記刻み線が、水平方向に沿って刻設されることを特徴とする。
【０００７】
また、本発明の請求項３の発明は、前記光源が配置されていない前記表示体の側面には反射板が貼着されることを特徴とする。
【０００８】
また、本発明の請求項４の発明は、前記光源が前記表示体の周縁の一部に配置される場合において、前記刻み線が、前記光源から離隔するに従って深く刻設されることを特徴とする。
【０００９】
また、本発明の請求項５の発明は、前記光源が前記表示体の周縁の一部に配置される場合において、前記表示体の厚みが、前記光源から離隔するに従って薄く形成されることを特徴とする。
【００１０】
また、本発明の請求項６の発明は、前記表示体が、ガラス，樹脂，光拡散樹脂のいずれかからなることを特徴とする。
【００１１】
また、本発明の請求項７の発明は、前記膜体が、塗膜，フィルム，金属，金属箔，メッキ，インキ，カッティングシートのいずれかからなることを特徴とする。
【００１２】
また、本発明の請求項８の発明は、前記光源が、一般電球ＬＥＤ，冷陰電極管，ＥＦＦランプ，ブラックライト，グラデーションライトのいずれかからなることを特徴とする。
【００１３】
また、本発明の請求項９の発明は、前記反射板がアルミ箔，金属箔等の薄厚の反射材からなることを特徴とする。
【００１４】
また、本発明の請求項１０の発明は、前記刻み線が、レーザ加工により形成されることを特徴とする。
【発明の効果】
【００１５】
本発明の請求項１の光拡散式表示体によれば、表示体の表面に多数本の刻み線を形成することにより、光源により照光とされた膜体のパターンの光拡散が効果的に行われ、明瞭な光拡散像が形成される。なお、表示板や膜体及び光源としては特別の機能を有するものを用いる必要がなく簡便，安価に実施できる。
【００１６】
また、本発明の請求項２の光拡散式表示体によれば、刻み線が多数本水平方向に刻設されることにより光拡散が効果的に行われる。
【００１７】
また、本発明の請求項３の光拡散式表示体によれば、反射板を貼着することにより、光源からの光が反射し、大きな光拡散効果を上げることができる。
【００１８】
また、本発明の請求項４の光拡散式表示体によれば、刻み線の深さを変化させることにより、光源から離隔しても一定の光拡散効果を上げることができる。
【００１９】
また、本発明の請求項５の光拡散式表示体によれば、表示板の厚みを変えることにより光源から離隔しても一定の光拡散効果を上げることができる。
【００２０】
また、本発明の請求項６の光拡散式表示体によれば、表示体として目的に応じて各種材質のものが採用でき使用の自由度の向上が図れる。
【００２１】
また、本発明の請求項７の光拡散式表示体によれば、膜体として目的に応じて各種のものが採用でき、使用の自由度の向上が図れる。
【００２２】
また、本発明の請求項８の光拡散式表示体によれば、光源として目的に応じて各種のものが用いられ、特に、一般電球が採用可能であり、普遍性があると共に、ＬＥＤを使用することにより大幅な省電力化が図れ、耐久性の向上も図れる。
【００２３】
また、本発明の請求項９の光拡散式表示体によれば、反射板を設けることにより拡散光が反射し、より大きな光拡散効果を上げることができる。
【００２４】
また、本発明の請求項１０の光拡散式表示体によれば、刻み線をレーザ加工により形成することにより、より繊細で正確な刻み線を形成することができる。
【発明を実施するための最良の形態】
【００２５】
以下、本発明の光拡散式表示体の実施の形態を図面を参照して詳述する。
【実施例１】
【００２６】
図１及び図２は本発明の光拡散式表示体の１つの実施例を示す斜視図及び断面図である。図示のように、光拡散式表示体１はアクリル樹脂の表示板２と、その一面に貼着されるカッティングシートのような膜体３と、ＬＥＤのような光源４と、表示板２の他面に貼着される反射膜５等とからなる。なお、これ等は枠体６内に収納される。また、本実施例では光源４は表示板２の周縁の全部に配置されているが、図３に示すように周縁の一部に配置する場合もある。この場合には図示のように表示板２の光源４の配置されていない周縁には反射板７が貼着される。
【００２７】
表示板２の膜体３の貼着されている側と反射側（反射膜５の貼着している側）には多数本刻み線８が刻設されている。この刻み線８は本実施例では横方向（水平方向）に沿って形成されており、例えば、等間隔に形成されているがこれに限定するものではない。その本数は特に限定するものではないが、適宜がピッチ間隔で多数本刻設される。この刻設は例えば、レーザ加工によって行われる。このため、極めて微細な寸法の刻み線８を形成することができる。また、本実施例では刻み線８は水平方向としたが、これに限定するものではなく、そのサイズも必ずしも同一のものでなくてもよい。
【００２８】
刻み線８を形成することにより、光源４からの光がここで屈折し、かつこの光が反射膜で反射し、膜体３を照らす。このため膜体３に形成されているパターン等が光拡散され、極めて明るく照明される。これにより、従来にない明るくて綺麗なパターンが表示され、美観の向上が図れる。なお、刻み線８の刻設することは容易であり、かつ本発明の光拡散式表示体１の全体構成は簡便でコンパクトのものからなり、安価に実施される。また、膜体３の種類を変えることにより色々のパターンを表示することができる。また、大きさも任意に選択され、各種の表示手段に広く利用される。
【実施例２】
【００２９】
図４は、本発明の光拡散式表示体１の別の実施例を示すものである。図１，図３等に示すように、実施例１では表示板２はその一面にのみ刻み線８を刻設したものであるが、この実施例では表示板２ａの両面に刻み線８ａを刻設したものである。刻み線８ａを両面に形成することにより、刻み線８ａ，８ａ間でポンピング効果（往復動）が生じ、より大きな光拡散が生じ、より明るいパターン表示を行うことができる。
【実施例３】
【００３０】
図５（ａ），（ｂ）は更に別の実施例を示すものである。この光拡散式表示体は表示板に特徴を有するものである。図５（ａ）の表示板２ｂは光源４から離隔するに従ってその厚みを変化させたものである。即ち、図の下方に向かって厚みを薄くしたものである。この表示板２ｂに刻み線８ｂを刻設することにより、光源４から離れた位置においても均一の光拡散が生じ、全体として均一の光拡散が行われる。また、図５（ｂ）の表示板２ｃは板厚は一定であるが、刻み線８ｃを光源４から離隔するに従って深く形成したものである。これにより、光源４から離れた位置でも均一の光拡散ができ、全体として均一の光拡散を行うことができる。
【実施例４】
【００３１】
図６は本発明の更に別の実施例を示すものである。図示のように、この場合、光源４ａ（例えば、ＬＥＤの如きもの）が表示板２の刻み線８の刻設されている側と枠体６ａに貼付されている反射膜５との間に介設される。これにより、更に明るい光拡散を発生させることができる。
【実施例５】
【００３２】
図７は本発明の更に別の実施例を示すものである。前記のものは表示板２ａが単一のものからなるが、本実施例では表示板２ａが二重のものからなる。即ち、表示板２ａ，２ａは反射膜５を挟んで並設される。この表示板２ａには夫々膜体３，３が貼着される。これ等は枠体６ｂにより支持される。なお、本実施例の場合は光源４が一箇所のため反射板７が周縁に設けられている。以上の構成により、光拡散式表示体１ａを両側から見ることができ、表示効果の一層の向上が図れる。
【産業上の利用可能性】
【００３３】
本発明の光拡散式表示体は、宣伝広告をＰＲ用、安全保護用等のあらゆる表示体に適用されその適用範囲は極めて広い。また、簡便，安価であり各所で広く使用され利用範囲は広い。
【図面の簡単な説明】
【００３４】
【図１】本発明の光拡散式表示体の全体概要構造を示す斜視図。
【図２】図１のＡ−Ａ線断面図。
【図３】表示板とこれに貼着されている反射板を示す平面図。
【図４】本発明の光拡散式表示体の別の実施例を示す断面図。
【図５】本発明の光拡散式表示体の表示板の他の実施例を示す断面図。
【図６】光源の位置を変えた本発明の光拡散式表示体の別の実施例を示す断面図。
【図７】表示板を並設した本発明の実施例を示す断面図。
【符号の説明】
【００３５】
１    光拡散式表示体
１ａ  光拡散式表示体
２    表示板
２ａ  表示板
２ｂ  表示板
２ｃ  表示板
３    膜体
４    光源
４ａ  光源（ＬＥＤ）
５    反射膜
６    枠体
６ａ  枠体
６ｂ  枠体
７    反射板
８    刻み線
８ａ  刻み線
８ｂ  刻み線
８ｃ  刻み線
【図１】
2005266024.tif 000003
【図２】
2005266024.tif 000004
【図３】
2005266024.tif 000005
【図４】
2005266024.tif 000006
【図５】
2005266024.tif 000007
【図６】
2005266024.tif 000008
【図７】
2005266024.tif 000009